(57)【要約】【課題】  使用可能な出力に対して効果が最適化された低出力ほうき型掃除機用の掃除機ノズルを提供し、そのような機器についてのゴミの収集効率を向上させる。【解決手段】  掃除すべき表面上を車輪（３６）又はシューを介して移動するようになっている底部（２６）を含むほぼ矩形の掃除機のノズル（２０）において、前記底部（２６）がカバー（２４）に覆われ、掃除すべき表面側に開き前記ノズルの２つの側面縁を接続しながらノズル（２０）の幅に亘って延びる吸込み路（２８）、並びにノズル（２０）の後ろ側に配置された掃除機本体への接続チューブ（１８）を有し、前記チューブが導管（２９）により吸込み路（２８）の中央付近で吸込み路に結合される掃除機のノズルであって、吸込み路（２８）は前壁（３８）及び後壁（３９）により画定されること、及び前壁（３８）は吸込み路（２８）の中央を基準として対称な円弧を形成することを特徴とするノズル。【選択図】  図３
2005349206.tif 000002
【特許請求の範囲】
【請求項１】
掃除すべき表面上を車輪（３６）またはシューを介して移動するようになっている底部（２６）を含むほぼ矩形の掃除機のノズル（２０）において、前記底部（２６）がカバー（２４）に覆われ、掃除すべき表面側に開き前記ノズルの２つの側面縁を接続しながらノズル（２０）の幅にわたって延びる吸込み路（２８）、ならびにノズル（２０）の後ろ側に配置された掃除機本体への接続チューブ（１８）を有し、前記チューブが導管（２９）により吸込み路（２８）の中央付近で吸込み路に結合される掃除機のノズルであって、吸込み路（２８）は前壁（３８）および後壁（３９）により画定されること、および前壁（３８）は吸込み路（２８）の中央を基準として対称な円弧を形成することを特徴とするノズル。
【請求項２】
吸込み路（２８）を画定する後壁（３９）は、前壁（３８）に対し対称な円弧を形成することを特徴とする請求項１に記載の掃除機のノズル（２０）。
【請求項３】
吸込み路を画定する前壁および／または後壁が有する曲率半径は、５００ｍｍより大きく、好ましくは１０００ｍｍ未満であることを特徴とする請求項１または２のいずれか一項に記載の掃除機のノズル（２０）。
【請求項４】
ノズル（２０）の側面縁のレベルにおける吸込み路（２８）の幅（ｌ）は１５ｍｍ未満であること、および中央における吸込み路（２８）の幅（Ｌ）は２０ｍｍから２５ｍｍの間に含まれることを特徴とする請求項１から３のいずれか一項に記載の掃除機のノズル（２０）。
【請求項５】
吸込み路（２８）を画定する前壁（３８）および後壁（３９）は、底部（２６）から突起していることを特徴とする請求項４に記載の掃除機のノズル（２０）。
【請求項６】
吸込み路（２８）のノズル（２０）の側面縁の深さ（ｈ）は中心に向かって増加し、この深さ（ｈ）は、縁のレベルにおいて２ｍｍ未満であり、導管（２９）との結合前の中心付近で５ｍｍから８ｍｍの間であることを特徴とする請求項１から５のいずれか一項に記載の掃除機のノズル（２０）。
【請求項７】
内部にモータ（６）とゴミ分離装置（１０）とが特に収納されたハウジング（２）を含むほうき型掃除機タイプの電気ゴミ回収装置（１）において、前記装置（１）が、端部にハンドル（４）が設けられた柄と、配管（１６）により装置（１）のハウジング（２）に接続されたノズル（２０）とを有し、この配管がゴミ分離装置（１０）に流体気体結合される装置であって、ノズル（２０）は請求項１から６のいずれか一項に適合することを特徴とする電気ゴミ回収装置。
【請求項８】
モータ（６）の電気出力は５００Ｗ未満であることを特徴とする請求項７に記載の電気ゴミ回収装置（１）。
【請求項９】
モータ（６）は、装置のハウジング（２）内に収納されたバッテリ（８）から電源を供給されることを特徴とする請求項８に記載の電気ゴミ回収装置（１）。
【発明の詳細な説明】
【技術分野】
【０００１】
本発明は掃除機のノズルに関し、より詳細にはそのようなノズルによるゴミ収集の効果の向上に関する。
【０００２】
本発明は、柄により手で持ち、掃除機の本体に接続されたノズルを介して床に当たるような低出力掃除機を対象とする。以下の説明では、「ほうき型掃除機」という表現はそのような機器を指す。
【背景技術】
【０００３】
ほうき型掃除機は、使用がさらに容易になるバッテリを含むことが多いが、使用可能出力には未だ制限がある。
【０００４】
多くの文献が、特に、特別な構造の構成サブアセンブリーまたは掃除用付属品の特殊な配置においてほうき型掃除機について記述している。
【０００５】
たとえば特許文献１は、柄が折り曲げ可能なほうき型掃除機について記載している。
【０００６】
しかしながら、これらの機器の掃除機のノズルを扱った文献はほとんどなく、したがってこれは、このゴミ収集装置の増強および／または最適化に関してはほとんど研究が行われていないことを示している。
【０００７】
また（特許文献２）は交流電源に接続されたほうき型掃除機について記載しているが、この掃除機のノズルは、ノズルのカバーのレベルに位置するペダルによって作動されるブラシを一方の縁に有する中央の吸込み開口部を含む。このノズルは小型車輪を備える。改良型実施形態のおいては、ブラシは吸込み路内に配置され、ノズルはその移動を容易にする大型車輪を含む。
【０００８】
しかしながら、製品の吸込み効率を向上させるためのノズルの特性についての研究または最適化に言及している情報はない。
【０００９】
【特許文献１】欧州共同体特許１０３３１０１号明細書
【特許文献２】米国特許第５，１０７，５６７号明細書
【発明の開示】
【発明が解決しようとする課題】
【００１０】
本発明の目的のうちの１つは、使用可能な出力に対して効率が最適化された低出力ほうき型掃除機用の掃除機ノズルを提供して、そのような機器についてのゴミの収集効率を向上させることである。
【課題を解決するための手段】
【００１１】
本発明は、掃除すべき表面上を車輪またはシューを介して移動するようになっている底部を含むほぼ矩形の掃除機のノズルにおいて、前記底部がカバーに覆われ、掃除すべき表面側に開き前記ノズルの２つの側面縁を接続しながらノズルの幅にわたって延びる吸込み路、ならびにノズルの後ろ側に配置された掃除機本体への接続管を有し、前記チューブが導管により吸込み路の中央付近で吸込み路に結合される掃除機のノズルであって、吸込み路が前壁および後壁により画定されること、および前壁が路の中央を基準として対称な円弧を形成することを特徴とするノズルを用いることにより達成される。
【００１２】
ノズルがモケットタイプの表面上を前方に移動する際、吸込み路を画定する前縁の円弧形状により、横方向成分を有する運動をモケットの毛糸に与えると同時に、ノズルがそのような表面上を移動するのを難しくする可能性のある前面「先端」縁を有するのを防止することが可能である。
【００１３】
有利には、吸込み路を画定する後壁は、前壁に対し対称な円弧を形成して同じ構成を有する。
【００１４】
吸込み路はノズルの幅にわたって広がっているため、掃除すべき床と接触する表面積の値を最適化する必要がある。実際、表面積が大きすぎるとノズルの移動が困難になる。したがって、吸込み路を画定する前壁および／または後壁が有する曲率半径は５００ｍｍより大きくかつ好ましくは１０００ｍｍ未満である。
【００１５】
同じ考察によれば、ほうき型掃除機に配置されたノズルの効率は、掃除機の出力が小さいことから、ノズルの側面縁のレベルにおける吸込み路の幅が１５ｍｍ未満の時、および中央における吸込み路の幅が２０ｍｍから２５ｍｍの間である時、良好な値を示す。
【００１６】
モケットタイプの床のゴミの収集効率を増大させるために、吸込み路を画定する前壁および後壁が底部から突出している。これらの壁により、前述の床面上を掃除機が通過する際、モケットの毛糸を擦ることができると同時に、壁による応力を受けた後、毛糸が元の位置に戻る際、埃を払い出すことが可能である。
【００１７】
他のところではほとんど研究されていない別のパラメータとして、ノズル内の吸込み路の深さがある。製品の特性および特にモータの出力が低いことを考慮して、縁から中心に向かって路の深さを次第に変化させることにより、良好な結果が得られた。吸込み路の深さを側面縁から中心に向かって増加させた時最良の結果が得られたが、その時、この深さは縁のレベルで２ｍｍ未満であり、導管との結合前の中心付近で５ｍｍから８ｍｍの間である。
【００１８】
本発明は、内部にモータとゴミ分離装置とが特に収納されたハウジングを含むほうき型掃除機タイプの電気ゴミ回収装置において、前記装置が、端部にハンドルが設けられた柄と、配管により掃除機のハウジングに接続されたノズルとを有し、この配管がゴミ分離装置に流体気体結合される装置であって、前記ノズルが前出の特徴のうちの少なくとも１つを有する電気ゴミ回収装置と組み合せて適用される。
【００１９】
ノズルの特性は専ら低出力の場合について研究されたものであるので、有利には、装置のモータの電気出力は５００Ｗ未満である。
【００２０】
装置をより使い易くするために、装置のモータは装置のハウジング内に収納されたバッテリから電源を供給されるので、装置の自律運転が可能になり、交流電源に接続しなくとも使用することができる。
【００２１】
本発明は、添付の図面を参照して行う以下の説明により、より良く理解されよう。
【発明を実施するための最良の形態】
【００２２】
図１に示す掃除機１はほうき型であって、上部にハンドル４があるハウジング２を含む。ハウジングは、モータ６と、モータに流体気体接続されたゴミ分離装置１０とを周知の方法で内蔵している。図示例によれば、ゴミ分離装置はダストバッグであるが、本発明の範囲内で慣性またはサイクロン効果による分離装置を設けることも可能である。分離装置は、ゴミ分離装置の清掃または交換を容易にするため、取り外し可能な仕切り１２内に収納される。
【００２３】
モータは主電源から、あるいは好ましくは、再充電可能なバッテリ８から給電することができる。バッテリを有する図示のような掃除機の出力は３００Ｗである。掃除機の起動は、好ましくはハンドル４の近傍に位置するスイッチ１４により行われる。
【００２４】
ハウジング２は、ゴミ分離装置に気体流体的に接続された配管１６を介してノズル２０に接続される。この配管は、ノズルに連節された曲チューブ１８を介してノズルに接続される。
【００２５】
ノズル２０はチューブ１８の軸Ｘ−Ｘ’を基準として対称である。ノズルは、図６でよくわかるように、上にカバー２４が載った底部２６を含み、さらにノズルの移動を容易にするため４つの車輪３６が取り付けられている。底部は、掃除すべき面に向いた、吸込み路２８を形成する開口部を含み、この開口部はノズルの一方の側面縁から他方の側面縁に広がり、路の縁を形成する２つの壁すなわち前壁３８および後壁３９によって画定される。この路は、吸込み路のほぼ中央で開口部３０により吸込み路内に開口する、図５および図７に示す導管２９により曲チューブ１８に気体流体的に結合される。
【００２６】
ノズルは、吸込み路の両側に配置された２つの糸取り用条片３２をも含む。また、ほぼノズルの幅にわたって広がるブラシ３４はノズルの前縁の近傍に配置される。ノズルのカバーのレベルに位置する駆動ペダル２２により、ブラシ３４にてこの作用がかかる作動板２３により、ノズルの底部に対しブラシを上下させることが可能である。
【００２７】
本発明は主に、モータが提供する低出力との関連における吸込み路２８の特徴に関する。
【００２８】
この路の特徴のうちの１つは、ノズルの側面縁からノズルの中心および開口部３０に向かって断面積が増加していることである。図３により路の幅が増加していることがわかり、図４により路の深さが増加していることがわかる。
【００２９】
したがって図３において、ノズルの側面縁のレベルにおける吸込み路の幅ｌは１３ｍｍ程度である。開口部３０の近傍のこの路の幅Ｌは２２ｍｍ程度である。
【００３０】
さらに、吸込み路の幅のこの増加は路の前壁３８が円弧状であるために連続的に漸増し、それにより前記路内の空気流の向上が特に可能である。
【００３１】
さらに、図４でわかるように、ノズルの一方の側面縁から中央開口部３０に移行するに従い、路の深さを画定する壁４０に与えられた漸増傾斜により吸込み路は次第に深くなる。縁のレベルでは開口部は２ｍｍ程度であり、縁がおよそ１ｍｍと若干隆起しているが、開口部３０の近傍では吸込み路の深さｈは６ｍｍである。
【００３２】
この「三次元的」断面積の増加により、ノズルの縁のレベルにおける空気の速度を大きく漸増させることができ、ゴミの収集が促進されるため、ゴミの収集についてきわめて良好な結果が得られる。
【００３３】
さらに、このように断面積が漸増することにより、吸込み路内の乱流現象を著しく低減させることが可能である。また、空気の乱流運動を制限するために、主に結合部を形成する壁の曲率半径４３を大きくすることにより開口部３０による吸込み路と導管２９の結合が研究された。
【００３４】
さらに、２つの壁３８、３９は底部から若干突起しているため、吸込み前に床面に対するかき取り効果がもたらされる。吸込み路の壁のこの突起は図６でよくわかる。しかしながら、提案例によれば、ノズルが車輪上に置かれる時は、壁３８、３９は床面から０．５ｍｍないし１ｍｍ離れているため、車輪が若干床面内に沈み込むモケットタイプの床でしかかき取り効果が生じない。
【００３５】
図示したようなノズルの別の特徴は、ノズルの前縁の近傍に配置され、かき取りゾーン４４と、大型ゴミの吸込みゾーンを構成する開口部４０、４２とを交互に出現させることが可能な複数の切込みを有し、中央開口部４２が開口部４０よりも大きいかき取りブラシ３４に関する。したがってブラシが出ている時は、床面上でノズルを移動させることにより、掃除すべき床に対して、とりわけモケットタイプの床の繊維に対して応力を加えるようにすることができるだけでなく、もし前記開口部がなかったとしたらブラシで押し払われるような大型のゴミを開口部４０、４２から吸い込むことも可能である。
【００３６】
また、図８および図９に示すように、駆動ペダル２２の回転によりブラシ３４が出た状態になると、ノズルの前部が持ち上げられ、前側車輪３６は床には当たらなくなり、今度は後部でノズルが車輪に載り、前部でブラシに載る。このようにノズルが持ち上がることにより、大きなゴミ（すなわち開口部４０、４２から吸込み路内に入るゴミ）のはさまりを防止することができ、したがって様々な導管を通してこれらのゴミをノズルから回収することが容易になる。
【図面の簡単な説明】
【００３７】
【図１】本発明によるほうき型掃除機の全体概略図である。
【図２】本発明による掃除機のノズルの斜視図である。
【図３】ノズルの下面図である。
【図４】図３の軸Ａ−Ａによる図である。
【図５】図３の軸Ｂ−Ｂによる図である。
【図６】若干斜視のノズルの側面図である。
【図７】保護カバーがないノズルの前部の斜視図である。
【図８】ブラシを収納した状態のノズルの側面図である。
【図９】ブラシを出した状態のノズルの側面図である。
【符号の説明】
【００３８】
２０        ノズル
２８        吸込み路
３８        前壁
３９        後壁
【図１】
2005349206.tif 000003
【図２】
2005349206.tif 000004
【図３】
2005349206.tif 000005
【図４】
2005349206.tif 000006
【図５】
2005349206.tif 000007
【図６】
2005349206.tif 000008
【図７】
2005349206.tif 000009
【図８】
2005349206.tif 000010
【図９】
2005349206.tif 000011